(57)【要約】【課題】テレビ番組を録画編集する従来の方法は、視聴者が手動で録画と編集を行うか、ビデオフレームにプログラミング情報を埋め込んで録画の開始終了を自動化するものであり、視聴者が手間をかけてタイトル挿入など記録媒体向けに作り込むか、放送された通りの映像を自動で切り取って録画するだけの断片的な映像しか記録されなかった。【解決手段】デジタル放送の番組と共に記録用の編集データを多重放送し、この編集データを基に記録媒体用にタイトル挿入や特典映像を加えた録画番組を生成、自動プログラミングする構成とした。【選択図】  図１
2005005950.tif 000002
【特許請求の範囲】
【請求項１】
デジタル放送を受信するチューナと、受信した信号を復号する多重信号復号手段と、復号された映像音声を保存しておく番組蓄積手段と、復号された編集データを保存しておく編集データ蓄積手段と、前記編集データ蓄積手段に蓄積された編集データをもとに前記番組蓄積手段に蓄積された映像音声を編集する編集手段と、編集された映像音声を記録する記録手段を備えたことを特徴とする番組録画装置。
【請求項２】
前記編集データに利用者が独自のデータを入力できるユーザデータ入力手段を備えたことを特徴とした請求項１に記載の番組録画装置。
【発明の詳細な説明】
【０００１】
【発明の属する技術分野】
本発明は、デジタル放送の録画装置に関するもので、特に番組と共に送られる編集データをもとに自動編集した上で録画する装置に関するものである。
【０００２】
【従来の技術】
視聴者が番組を録画編集する従来の方法は、視聴者が手動で録画と編集を行うか、ビデオフレームにプログラミング情報を埋め込んで自動編集するものだった（例えば、特許文献１参照）。
【０００３】
【特許文献１】
特開平７−７５０８４号公報
【０００４】
【発明が解決しようとする課題】
手動での編集には手間がかかり、また、上記特開平７−７５０８４号公報が示す方法では、放送された不要なシーンをカットすることは出来ても追加することはできなかった。
【０００５】
【課題を解決するための手段】
前記課題を解決するために、本発明の番組録画装置は、デジタル放送を受信するチューナと、受信した信号を復号する多重信号復号手段と、復号された映像音声を保存しておく番組蓄積手段と、復号された編集データを保存しておく編集データ蓄積手段と、前記編集データ蓄積手段に蓄積された編集データをもとに前記番組蓄積手段に蓄積された映像音声を編集する編集手段と、編集された映像音声を記録する記録手段を備えたことを特徴としたものである。
【０００６】
本発明によれば、番組と共に多重化して送られる番組編集データとして、コマーシャルをカットするためのタイムコード情報や、番組タイトル画像や、番組の購入者への特典映像などを盛り込んだ、ビデオやＤＶＤに記録された映像を自動で作成することができる。
【０００７】
【発明の実施の形態】
本発明の請求項１に記載の発明は、デジタル放送を受信するチューナと、受信した信号を復号する多重信号復号部と、復号された映像音声を保存しておく番組蓄積部と、復号された編集データを保存しておく編集データ蓄積部と、前記編集データ蓄積部に蓄積された編集データをもとに前記番組蓄積部に蓄積された映像音声を編集する編集部と、編集された映像音声を記録する記録部を備えたことを特徴とする番組録画装置であり、利用者は自分で編集することなく、自動で録画したい番組を編集記録することができ、また、多重化して送られてくる映像特典などの編集データを利用した映像ソフトを獲得することができる。
【０００８】
つぎに、本発明の請求項２に記載の発明は、前記編集データに利用者が独自のデータを入力できるユーザデータ入力部を備えたことを特徴とした請求項１に記載の番組録画装置であり、利用者が独自の管理情報やメッセージを挿入できる。
【０００９】
以下、本発明の実施の形態について、図１から図３を用いて説明する。
【００１０】
（実施の形態１）
図１は本発明の請求項１に記載の番組録画装置を示すブロック図である。本発明の番組録画装置は、デジタル放送を受信するチューナ１、受信した多重信号を復号する多重信号復号部２、復号した映像音声を記録する例えばハードディスク装置である番組蓄積部３、復号した例えば各映像クリップの開始終了を定義するタイムコードやタイトル画像などの編集データを記録する例えば前記番組蓄積部と共用のハードディスクである編集データ蓄積部４、編集データをもとに映像音声を分割してクリップ化し必要な映像クリップや画像や特典映像などを定義された順序で記録しなおす編集部５、前記編集部によって編集された映像を記録する例えばハードディスクやビデオデッキやＤＶＤレコーダである記録部６で構成されている。
【００１１】
図２で、本発明の編集手順を説明する。Ｓ０１で、図１番組蓄積部３に記録されている映像音声を図１編集データ蓄積部４に記録されている映像クリップ開始終了タイムコードにしたがって分割する。Ｓ０２で、図１編集データ蓄積部にタイトルデータが存在するか判断し、タイトルデータが存在した場合は、Ｓ０３でタイトルを図１記録部６に書き出す。Ｓ０４で、図１編集データ蓄積部４に記録された編集データにしたがって、分割された映像クリップを図１記録部６に順番にＳ０５の終了判定で終了となるまで記録してゆく。なお、映像クリップへの分割は前もって行わずとも、図１記録部６への書き出し時に行うこともできる。また、タイトル以外にも番組購入にともなう映像特典などを挿入することもできる。
【００１２】
（実施の形態２）
図３は、本発明の請求項２に記載の番組録画装置を示すブロック図である。デジタル放送を受信するチューナ１１、受信した多重信号を復号する多重信号復号部１２、あらかじめ利用者がタイトル前に挿入したい例えば管理番号や日付やメッセージなどを入力するユーザデータ入力部１３、復号した映像音声を記録する例えばハードディスク装置である番組蓄積部１４、復号した例えば各映像クリップの開始終了を定義するタイムコードやタイトル画像などの編集データを記録する例えば前記番組蓄積部と共用のハードディスクである編集データ蓄積部１５、編集データをもとに映像音声を分割してクリップ化し必要な映像クリップや画像や特典映像などを定義された順序で記録しなおす編集部１６、前記編集部によって編集された映像を記録する例えばハードディスクやビデオデッキやＤＶＤレコーダである記録部１７で構成されている。前記実施の形態１で記述された番組録画装置は、番組製作者が作成した編集データ通りに自動編集されたが、実施の形態２では、ユーザデータ入力部を設けることにより利用者が映像ソフトに独自性を持たせることができる構成となっている。なお、ユーザデータにより複数番組を１つの媒体（ビデオやＤＶＤ）へ記録するようプログラムすることもできる。
【００１３】
【発明の効果】
以上のように、本発明の番組録画装置によれば、映画やテレビドラマといった分野で、ビデオやＤＶＤといった記録媒体向けに最適化され再編集された映像ソフトが存在するのと同様に、記録媒体向けに再編集されたテレビ番組を自動で記録保存することができる。
【図面の簡単な説明】
【図１】本発明の番組録画装置の構成を示すブロック図
【図２】本発明の番組編集手順を示す図
【図３】本発明の実施の形態２の構成を示すブロック図
【符号の説明】
１  チューナ
２  多重信号復号部
３  番組蓄積部
４  編集データ蓄積部
５  編集部
６  記録部
１１  チューナ
１２  多重信号復号部
１３  ユーザデータ入力部
１４  番組蓄積部
１５  編集データ蓄積部
１６  編集部
１７  記録部
【図１】
2005005950.tif 000003
【図２】
2005005950.tif 000004
【図３】
2005005950.tif 000005